(57)【要約】【課題】  アルコール測定に対する不正行為が動画から特定されることを従来より容易化することができるアルコール測定システムおよびアルコール測定動画保存プログラムを提供する。【解決手段】  アルコール測定システムは、被測定者によって吹き込まれた呼気中のアルコール濃度の測定であるアルコール測定を実行するアルコール測定器と、アルコール測定器に呼気を吹き込んでいる状態の被測定者を撮影可能な位置に配置されているＷｅｂカメラと、Ｗｅｂカメラによって撮影された動画であって、アルコール測定のためにアルコール測定器によって実行される測定用動作に関連付けられた測定関連動画４５ｃを保存する動画保存手段とを備えており、測定関連動画４５ｃは、開始時間から終了時間までの間に測定用動作の時間を含み、開始時間が測定用動作の開始時間より一定時間前であるとともに、終了時間が測定用動作の終了時間より一定時間後であることを特徴とする。【選択図】  図６
2018022465.tif 000002
【特許請求の範囲】
【請求項１】
被測定者によって吹き込まれた呼気中のアルコール濃度の測定であるアルコール測定を実行するアルコール測定器と、
前記アルコール測定器に前記呼気を吹き込んでいる状態の前記被測定者を撮影可能な位置に配置されているカメラと、
前記カメラによって撮影された動画であって、前記アルコール測定のために前記アルコール測定器によって実行される測定用動作に関連付けられた測定関連動画を保存する動画保存手段と
を備えており、
前記測定関連動画は、開始時間から終了時間までの間に前記測定用動作の時間を含み、
前記測定関連動画は、
開始時間が前記測定用動作の開始時間より特定の時間前であることと、
終了時間が前記測定用動作の終了時間より特定の時間後であることと
の少なくとも一方を満たすことを特徴とするアルコール測定システム。
【請求項２】
前記測定関連動画の開始時間から前記測定用動作の開始時間までの時間が一定時間であることと、
前記測定用動作の終了時間から前記測定関連動画の終了時間までの時間が一定時間であることと
の少なくとも一方を満たすことを特徴とする請求項１に記載のアルコール測定システム。
【請求項３】
前記測定関連動画の開始時間から前記測定用動作の開始時間までの時間と、
前記測定用動作の終了時間から前記測定関連動画の終了時間までの時間と
のうち一定時間である少なくとも１つを設定可能な時間設定手段を備えていることを特徴とする請求項２に記載のアルコール測定システム。
【請求項４】
前記測定関連動画の開始時間から前記測定用動作の開始時間までの時間と、
前記測定用動作の終了時間から前記測定関連動画の終了時間までの時間と
の少なくとも一方を前記測定関連動画毎に変化可能に決定する時間決定手段を備えていることを特徴とする請求項１に記載のアルコール測定システム。
【請求項５】
現時点が前記測定関連動画の撮影時間中であることを通知しないことを特徴とする請求項１から請求項４までの何れかに記載のアルコール測定システム。
【請求項６】
前記動画保存手段は、前記測定用動作において前記アルコール測定が正常に終了した場合に、前記アルコール測定の結果と関連付けて前記測定関連動画を保存することを特徴とする請求項１から請求項５までの何れかに記載のアルコール測定システム。
【請求項７】
前記動画保存手段は、前記測定用動作が途中で終了した場合であっても、前記測定関連動画を保存することを特徴とする請求項１から請求項６までの何れかに記載のアルコール測定システム。
【請求項８】
前記動画保存手段によって保存された前記測定関連動画のリストを表示するリスト表示手段を備えており、
前記リスト表示手段は、前記測定用動作の時間が特定の時間以上の前記測定関連動画か否かを前記リストにおいて区別して表示することを特徴とする請求項１から請求項７までの何れかに記載のアルコール測定システム。
【請求項９】
前記動画保存手段によって保存された前記測定関連動画のリストを表示するリスト表示手段を備えており、
前記リスト表示手段は、前記測定関連動画の長さを前記リストにおいて表示することを特徴とする請求項１から請求項７までの何れかに記載のアルコール測定システム。
【請求項１０】
前記アルコール測定器の周囲の音を取得するマイクロフォンを備えており、
前記動画保存手段は、前記マイクロフォンによって取得された音を前記測定関連動画に含めることを特徴とする請求項１から請求項９までの何れかに記載のアルコール測定システム。
【請求項１１】
被測定者によって吹き込まれた呼気中のアルコール濃度の測定であるアルコール測定を実行するアルコール測定器に接続されたコンピューターを、カメラによって撮影された動画であって、前記アルコール測定のために前記アルコール測定器によって実行される測定用動作に関連付けられた測定関連動画を保存する動画保存手段として機能させ、
前記カメラは、前記アルコール測定器に前記呼気を吹き込んでいる状態の前記被測定者を撮影可能な位置に配置されており、
前記測定関連動画は、開始時間から終了時間までの間に前記測定用動作の時間を含み、
前記測定関連動画は、
開始時間が前記測定用動作の開始時間より特定の時間前であることと、
終了時間が前記測定用動作の終了時間より特定の時間後であることと
の少なくとも一方を満たすことを特徴とするアルコール測定動画保存プログラム。
【発明の詳細な説明】
【技術分野】
【０００１】
本発明は、被測定者の呼気中のアルコール濃度を測定するアルコール測定システムおよびアルコール測定動画保存プログラムに関する。
【背景技術】
【０００２】
従来のアルコール測定システムとして、被測定者の呼気中のアルコール濃度の測定であるアルコール測定を含む点呼を実行する点呼システムが知られている（例えば、特許文献１参照。）。特許文献１に記載された点呼システムは、点呼を開始するための点呼開始ボタンが押された時点でカメラによる動画の撮影を開始する。そして、特許文献１に記載された点呼システムは、点呼の一連の処理の中で、被点呼者、すなわち、被測定者のアルコール測定を実行する。その後、特許文献１に記載された点呼システムは、点呼が終了した時点でカメラによる動画の撮影を終了する。
【先行技術文献】
【特許文献】
【０００３】
【特許文献１】特開２０１４−００６６７５号公報
【発明の概要】
【発明が解決しようとする課題】
【０００４】
従来のアルコール測定システムにおいては、被測定者の呼気中のアルコール濃度が高い可能性がある場合に、アルコール測定の実行場所に被測定者の管理者が不在であるとき、被測定者の呼気中のアルコール濃度を低く見せかけるために、被測定者の呼気以外の気体をアルコール測定器に吹き込む様々な不正行為が実行される可能性がある。
【０００５】
例えば、従来のアルコール測定システムにおいては、被測定者のためのアルコール測定を、単純に、被測定者の身代わりの者に実行させる不正行為、すなわち、身代わりの者の呼気を被測定者の呼気としてアルコール測定器に吹き込む不正行為が実行される可能性がある。しかしながら、従来のアルコール測定システムにおいては、アルコール測定器に呼気を吹き込んでいる人物を撮影した動画を残しているので、このような不正行為が管理者によって動画から特定されることが可能である。
【０００６】
また、従来のアルコール測定システムにおいては、被測定者によって呼気が吹き込まれる呼気吹き込み部を被測定者が咥えている状態であっても被測定者の身代わりの者から呼気が吹き込み可能なチューブがアルコール測定器に不正に取り付けられるなど、アルコール測定器に不正な改造が施されることによって、呼気吹き込み部を咥えている被測定者の動画を残しつつ、カメラの撮影範囲外で身代わりの者から呼気が吹き込まれる不正行為が実行される可能性がある。しかしながら、従来のアルコール測定システムにおいては、アルコール測定器に対する不正な改造部分や、身代わりの者がカメラによって撮影した動画に現れていれば、このような不正行為が管理者によって動画から特定されることが可能である。なお、このような不正行為においては、アルコール測定の実行中は、アルコール測定器に対する不正な改造部分や、身代わりの者がカメラによって撮影されないように、身代わりの者によって十分に注意が払われる場合が多い。しかしながら、アルコール測定の前後の時期には、アルコール測定の実行中と比較して、身代わりの者の注意力が低い場合が多いので、アルコール測定器に対する不正な改造部分や、身代わりの者がカメラによって撮影される可能性が高まる。
【０００７】
また、従来のアルコール測定システムにおいては、ダミーの呼気吹き込み部を用意することによって、ダミーの呼気吹き込み部を咥えている被測定者の動画を残しつつ、カメラの撮影範囲外で被測定者の身代わりの者から本物の呼気吹き込み部に呼気が吹き込まれる不正行為が実行される可能性がある。しかしながら、従来のアルコール測定システムにおいては、被測定者が咥えている呼気吹き込み部がダミーであることを示す部分や、身代わりの者がカメラによって撮影した動画に現れていれば、このような不正行為が管理者によって動画から特定されることが可能である。なお、このような不正行為においては、アルコール測定器に不正な改造が施される不正行為と同様に、アルコール測定の前後の時期に、被測定者が咥えている呼気吹き込み部がダミーであることを示す部分や、身代わりの者がカメラによって撮影される可能性が高まる。
【０００８】
しかしながら、従来のアルコール測定システムにおいては、アルコール測定の開始時間とは基本的に無関係に開始されるとともに、アルコール測定の終了時間とは基本的に無関係に終了する点呼の開始から終了までの動画が保存されるので、アルコール測定のためにアルコール測定器によって実行される測定用動作に関連性が高い箇所が動画において管理者によって特定されることが容易ではない。したがって、従来のアルコール測定システムにおいては、アルコール測定に対する不正行為が動画から特定されることが容易ではないという問題がある。
【０００９】
そこで、本発明は、アルコール測定に対する不正行為が動画から特定されることを従来より容易化することができるアルコール測定システムおよびアルコール測定動画保存プログラムを提供することを目的とする。
【課題を解決するための手段】
【００１０】
本発明のアルコール測定システムは、被測定者によって吹き込まれた呼気中のアルコール濃度の測定であるアルコール測定を実行するアルコール測定器と、前記アルコール測定器に前記呼気を吹き込んでいる状態の前記被測定者を撮影可能な位置に配置されているカメラと、前記カメラによって撮影された動画であって、前記アルコール測定のために前記アルコール測定器によって実行される測定用動作に関連付けられた測定関連動画を保存する動画保存手段とを備えており、前記測定関連動画は、開始時間から終了時間までの間に前記測定用動作の時間を含み、前記測定関連動画は、開始時間が前記測定用動作の開始時間より特定の時間前であることと、終了時間が前記測定用動作の終了時間より特定の時間後であることとの少なくとも一方を満たすことを特徴とする。
【００１１】
この構成により、本発明のアルコール測定システムは、測定用動作の時間と、測定用動作の開始時間より前の特定の時間、および、測定用動作の終了時間より後の特定の時間の少なくとも一方とからなる一連の時間の測定関連動画を保存するので、アルコール測定に対する不正行為が動画から特定されることを従来より容易化することができる。
【００１２】
本発明のアルコール測定システムは、前記測定関連動画の開始時間から前記測定用動作の開始時間までの時間が一定時間であることと、前記測定用動作の終了時間から前記測定関連動画の終了時間までの時間が一定時間であることとの少なくとも一方を満たしても良い。
【００１３】
この構成により、本発明のアルコール測定システムは、測定関連動画の開始時間から測定用動作の開始時間までの時間と、測定用動作の終了時間から測定関連動画の終了時間までの時間とが測定関連動画毎に変化する構成と比較して、測定関連動画の時間の長さの均一性を向上することができるので、アルコール測定に対する不正行為を発見するために測定関連動画を確認する作業の効率を向上することができる。
【００１４】
本発明のアルコール測定システムは、前記測定関連動画の開始時間から前記測定用動作の開始時間までの時間と、前記測定用動作の終了時間から前記測定関連動画の終了時間までの時間とのうち一定時間である少なくとも１つを設定可能な時間設定手段を備えていても良い。
【００１５】
この構成により、本発明のアルコール測定システムは、測定用動作の時間の前や後のどの程度の時間を測定関連動画に保存するかを被測定者の管理者などの者に変更させることが可能であるので、アルコール測定に対する不正行為を実行したい者に対して、測定関連動画のための撮影の実行中であるかもしれないという精神的圧力を効果的に与えることができる。したがって、本発明のアルコール測定システムは、アルコール測定に対する不正行為の発生を抑えることができる。
【００１６】
本発明のアルコール測定システムは、前記測定関連動画の開始時間から前記測定用動作の開始時間までの時間と、前記測定用動作の終了時間から前記測定関連動画の終了時間までの時間との少なくとも一方を前記測定関連動画毎に変化可能に決定する時間決定手段を備えていても良い。
【００１７】
この構成により、本発明のアルコール測定システムは、アルコール測定に対する不正行為を実行したい者に対して、測定関連動画の開始時間および終了時間の少なくとも一方の把握を困難にすることで、測定関連動画のための撮影の実行中であるかもしれないという精神的圧力を与えることができるので、アルコール測定に対する不正行為が実行され難い。したがって、本発明のアルコール測定システムは、アルコール測定に対する不正行為の発生を抑えることができる。
【００１８】
本発明のアルコール測定システムは、現時点が前記測定関連動画の撮影時間中であることを通知しなくても良い。
【００１９】
この構成により、本発明のアルコール測定システムは、アルコール測定に対する不正行為を実行したい者に対して、測定関連動画のための撮影の実行中であるかもしれないという精神的圧力を与えることができるので、アルコール測定に対する不正行為が実行され難い。したがって、本発明のアルコール測定システムは、アルコール測定に対する不正行為の発生を抑えることができる。
【００２０】
本発明のアルコール測定システムにおいて、前記動画保存手段は、前記測定用動作において前記アルコール測定が正常に終了した場合に、前記アルコール測定の結果と関連付けて前記測定関連動画を保存しても良い。
【００２１】
この構成により、本発明のアルコール測定システムは、アルコール測定の結果に応じて測定関連動画が選出されることが可能であるので、多数の測定関連動画の中から、アルコール測定の結果が特定のアルコール濃度以下の測定関連動画が選出されることによって、「アルコール測定に対する不正行為によって、被測定者の呼気中の実際のアルコール濃度より低いアルコール濃度が測定された事案」を測定関連動画によって容易に発見させることができる。
【００２２】
本発明のアルコール測定システムにおいて、前記動画保存手段は、前記測定用動作が途中で終了した場合であっても、前記測定関連動画を保存しても良い。
【００２３】
測定用動作が途中で終了した場合は、測定用動作が正常に終了した場合と比較して、アルコール測定に対する不正行為が実行された可能性が高い。本発明のアルコール測定システムは、測定用動作が途中で終了した場合の測定関連動画を保存するので、アルコール測定に対する不正行為を測定関連動画によって発見させる可能性を向上することができる。
【００２４】
本発明のアルコール測定システムは、前記動画保存手段によって保存された前記測定関連動画のリストを表示するリスト表示手段を備えており、前記リスト表示手段は、前記測定用動作の時間が特定の時間以上の前記測定関連動画か否かを前記リストにおいて区別して表示しても良い。
【００２５】
測定用動作の時間が長い場合は、測定用動作の時間が短い場合と比較して、アルコール測定に対する不正行為が実行されている可能性が高い。本発明のアルコール測定システムは、測定用動作の時間が特定の時間以上の測定関連動画、すなわち、測定用動作の時間が長い測定関連動画を、測定用動作の時間が特定の時間未満の測定関連動画、すなわち、測定用動作の時間が短い測定関連動画と区別してリストにおいて表示するので、多数の測定関連動画の中から、測定用動作の時間が長い測定関連動画が容易に選出されることができる。したがって、本発明のアルコール測定システムは、アルコール測定に対する不正行為を測定関連動画によって容易に発見させることができる。
【００２６】
本発明のアルコール測定システムは、前記動画保存手段によって保存された前記測定関連動画のリストを表示するリスト表示手段を備えており、前記リスト表示手段は、前記測定関連動画の長さを前記リストにおいて表示しても良い。
【００２７】
測定用動作の時間が長い場合は、測定用動作の時間が短い場合と比較して、アルコール測定に対する不正行為が実行されている可能性が高い。本発明のアルコール測定システムは、測定用動作の時間をリストにおいて表示するので、多数の測定関連動画の中から、測定用動作の時間が長い測定関連動画が容易に選出されることができる。したがって、本発明のアルコール測定システムは、アルコール測定に対する不正行為を測定関連動画によって容易に発見させることができる。
【００２８】
本発明のアルコール測定システムは、前記アルコール測定器の周囲の音を取得するマイクロフォンを備えており、前記動画保存手段は、前記マイクロフォンによって取得された音を前記測定関連動画に含めても良い。
【００２９】
この構成により、本発明のアルコール測定システムは、アルコール測定に対する不正行為が実行されたか否かを測定関連動画に含まれる音によっても確認可能であるので、アルコール測定に対する不正行為が測定関連動画から特定されることを容易化することができる。
【００３０】
本発明のアルコール測定動画保存プログラムは、被測定者によって吹き込まれた呼気中のアルコール濃度の測定であるアルコール測定を実行するアルコール測定器に接続されたコンピューターを、カメラによって撮影された動画であって、前記アルコール測定のために前記アルコール測定器によって実行される測定用動作に関連付けられた測定関連動画を保存する動画保存手段として機能させ、前記カメラは、前記アルコール測定器に前記呼気を吹き込んでいる状態の前記被測定者を撮影可能な位置に配置されており、前記測定関連動画は、開始時間から終了時間までの間に前記測定用動作の時間を含み、前記測定関連動画は、開始時間が前記測定用動作の開始時間より特定の時間前であることと、終了時間が前記測定用動作の終了時間より特定の時間後であることとの少なくとも一方を満たすことを特徴とする。
【００３１】
この構成により、本発明のアルコール測定動画保存プログラムを実行するコンピューターは、測定用動作の時間と、測定用動作の開始時間より前の特定の時間、および、測定用動作の終了時間より後の特定の時間の少なくとも一方とからなる一連の時間の測定関連動画を保存するので、アルコール測定に対する不正行為が動画から特定されることを従来より容易化することができる。
【発明の効果】
【００３２】
本発明のアルコール測定システムおよびアルコール測定動画保存プログラムは、アルコール測定に対する不正行為が動画から特定されることを従来より容易化することができる。
【図面の簡単な説明】
【００３３】
【図１】本発明の第１の実施の形態に係るアルコール測定システムの外観斜視図である。
【図２】図１に示すアルコール測定器のブロック図である。
【図３】（ａ）被測定者がマウスピースに呼気を吹き込んでいる状態の図１に示すアルコール測定器の外観斜視図である。  （ｂ）図３（ａ）に示す状態でＷｅｂカメラによって撮影された画像の一例を示す図である。
【図４】図１に示すコンピューターのブロック図である。
【図５】図４に示す利用者情報テーブルの一例を示す図である。
【図６】図４に示す測定関連動画の構成を示す図である。
【図７】図４に示す関連データ情報の一例を示す図である。
【図８】アルコール測定を実行する場合の図１に示すアルコール測定システムの動作のシーケンス図である。
【図９】アルコール測定を実行する場合のアルコール測定システムの動作であって、図８に示す動作とは異なる動作のシーケンス図である。
【図１０】図４に示す表示部に表示されるリストの一例を示す図である。
【図１１】本発明の第２の実施の形態に係るアルコール測定システムのコンピューターのブロック図である。
【図１２】図１１に示す測定関連動画の構成を示す図である。
【発明を実施するための形態】
【００３４】
以下、本発明の実施の形態について、図面を用いて説明する。
【００３５】
（第１の実施の形態）
まず、本発明の第１の実施の形態に係るアルコール測定システムの構成について説明する。
【００３６】
図１は、本実施の形態に係るアルコール測定システム１０の外観斜視図である。
【００３７】
図１に示すように、アルコール測定システム１０は、被測定者の呼気中のアルコール濃度の測定であるアルコール測定を実行するアルコール測定器２０と、カメラとしてのＷｅｂカメラ３１と、マイクロフォン３２と、アルコール測定器２０、Ｗｅｂカメラ３１およびマイクロフォン３２が接続された例えばＰＣ（Ｐｅｒｓｏｎａｌ  Ｃｏｍｐｕｔｅｒ）などのコンピューター４０とを備えている。
【００３８】
アルコール測定システム１０は、運輸・運送事業者などの点呼時に実行されるアルコール測定に使用されても良いし、点呼とは無関係に実行されるアルコール測定に使用されても良い。アルコール測定システム１０は、アルコール測定の実行場所に被測定者の管理者が不在である場合であっても、そのアルコール測定において不正行為が行われたか否かが管理者によって確認されることが可能なシステムである。
【００３９】
図２は、アルコール測定器２０のブロック図である。
【００４０】
図１および図２に示すように、アルコール測定器２０は、キーボードなどの操作デバイスである操作部２１と、表示デバイスである表示部２２と、スピーカー２３と、被測定者によって呼気が吹き込まれる呼気吹き込み部としてのマウスピース２４ａが着脱可能なセンサーユニット２４と、コンピューター４０と通信を行う通信デバイスである通信部２５と、アルコール測定器２０全体を制御する制御部２６とを備えている。アルコール測定器２０は、マウスピース２４ａに吹き込まれた呼気中のアルコール濃度の測定を実行する装置である。
【００４１】
表示部２２は、アルコール測定器２０の現在の状態を示す情報、アルコール測定器２０に対する操作の指示を示す情報などの各種の情報を被測定者に通知するための複数のランプ２２ａと、アルコール測定器２０の現在の状態を示す情報、アルコール測定器２０に対する操作の指示を示す情報、測定したアルコール濃度を示す情報などの各種の情報を被測定者に通知するためのディスプレイ２２ｂとを備えている。例えば、ディスプレイ２２ｂは、８桁の７セグメントディスプレイである。
【００４２】
センサーユニット２４は、マウスピース２４ａを介して吹き込まれた呼気中のアルコール濃度に応じたアルコール濃度信号を制御部２６に出力することができる。また、センサーユニット２４は、マウスピース２４ａを介して吹き込まれた呼気の圧力に応じた呼気圧力信号を制御部２６に出力することができる。
【００４３】
制御部２６は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭに記憶されているプログラムを実行する。
【００４４】
図３（ａ）は、被測定者９０がマウスピース２４ａに呼気を吹き込んでいる状態のアルコール測定器２０の外観斜視図である。  図３（ｂ）は、被測定者９０がマウスピース２４ａに呼気を吹き込んでいる状態の場合にＷｅｂカメラ３１によって撮影された画像の一例を示す図である。
【００４５】
図１および図３に示すように、Ｗｅｂカメラ３１は、マウスピース２４ａに呼気を吹き込んでいる状態の被測定者９０を撮影可能な位置に配置されている。
【００４６】
マイクロフォン３２は、アルコール測定器２０の周囲の音を取得する装置である。
【００４７】
図４は、コンピューター４０のブロック図である。
【００４８】
図１および図４に示すように、コンピューター４０は、マウス、キーボードなどの操作デバイスである操作部４１と、ＬＣＤ（Ｌｉｑｕｉｄ  Ｃｒｙｓｔａｌ  Ｄｉｓｐｌａｙ）などの表示デバイスである表示部４２と、スピーカー４３と、アルコール測定器２０、Ｗｅｂカメラ３１およびマイクロフォン３２と通信を行う通信デバイスである通信部４４と、各種の情報を記憶するＨＤＤ（Ｈａｒｄ  Ｄｉｓｋ  Ｄｒｉｖｅ）、半導体メモリーなどの不揮発性の記憶デバイスである記憶部４５と、コンピューター４０全体を制御する制御部４６とを備えている。
【００４９】
記憶部４５は、Ｗｅｂカメラ３１によって撮影された動画であって、アルコール測定のためにアルコール測定器２０によって実行される一連の動作（以下「測定用動作」と言う。）に関連付けられた測定関連動画を保存するアルコール測定動画保存プログラム４５ａを記憶している。
【００５０】
記憶部４５は、利用者の情報を利用者毎に示す利用者情報テーブル４５ｂを記憶している。
【００５１】
図５は、利用者情報テーブル４５ｂの一例を示す図である。
【００５２】
図５に示す利用者情報テーブル４５ｂは、利用者のＩＤと、利用者の氏名とを含んでいる。例えば、図５に示す例では、ＩＤ「１」の利用者の氏名は、「東海太郎」である。
【００５３】
図４に示すように、記憶部４５は、測定用動作毎の測定関連動画４５ｃを記憶可能である。
【００５４】
図６は、測定関連動画４５ｃの構成を示す図である。
【００５５】
図６に示すように、測定関連動画４５ｃは、開始時間から終了時間までの間に測定用動作の時間を含んでいる。ここで、測定用動作は、例えば、利用者情報テーブル４５ｂに登録されているＩＤが操作部２１に入力されるなどして、被測定者９０に対するアルコール測定がアルコール測定器２０において実行可能になった時点で開始される。また、測定用動作は、被測定者９０に対するアルコール測定がアルコール測定器２０において正常に終了した時点、例えば、測定したアルコール濃度がディスプレイ２２ｂに表示された時点で終了させられる。また、測定用動作は、操作部２１からの指示や、タイムアウトなどによって、アルコール濃度がディスプレイ２２ｂに表示されることなく、途中で終了させられることもある。
【００５６】
また、測定関連動画４５ｃは、測定用動作の時間の前の特定の時間としての一定時間（以下「測定用動作前一定時間」と言う。）の動画を含んでいる。すなわち、測定関連動画４５ｃの開始時間は、測定用動作の開始時間より測定用動作前一定時間だけ前である。
【００５７】
また、測定関連動画４５ｃは、測定用動作の時間の後の特定の時間としての一定時間（以下「測定用動作後一定時間」と言う。）の動画を含んでいる。すなわち、測定関連動画４５ｃの終了時間は、測定用動作の終了時間より測定用動作後一定時間だけ後である。
【００５８】
なお、一般的には、アルコール測定は、不正をしない場合でも、測定前準備（例えば、被測定者９０を特定するための運転免許証の用意や、呼気を吹き込むためのマウスピース２４ａの用意など。）が必要であり、測定後よりも測定前に時間が必要である。そのため、測定前に不正が行われる場合、不正が行われる時間と、測定前準備の時間との合計の時間が測定前に存在する。一方、測定後に不正が行われる場合、不正が行われる時間が測定後に存在する。したがって、測定用動作前一定時間を測定用動作後一定時間より長めにした方が、測定用動作前一定時間を測定用動作後一定時間より短めにするよりも、不正の現場が測定関連動画４５ｃに含まれる可能性が向上する。
【００５９】
図４に示すように、記憶部４５は、測定用動作に関連するデータ（以下「関連データ」と言う。）を測定用動作毎に含む関連データ情報４５ｄを記憶している。
【００６０】
図７は、関連データ情報４５ｄの一例を示す図である。
【００６１】
図７に示す関連データ情報４５ｄは、被測定者のＩＤと、被測定者の氏名と、アルコール測定の実行時刻と、アルコール測定の結果と、対応する測定関連動画４５ｃへのリンクとを含んでいる。例えば、図７に示す例では、「２０１６年７月４日７時１９分２０秒」に実行されたアルコール測定は、ＩＤ「１」、氏名「東海太郎」の被測定者に対するアルコール測定であって、アルコール測定の結果は、アルコール濃度が０．０００ｍｇ／Ｌである。
【００６２】
なお、アルコール測定の実行時刻は、測定用動作の終了時刻である。また、アルコール測定の結果は、アルコール測定が中止させられた場合、アルコール濃度ではなく、アルコール測定が中止させられた旨になる。
【００６３】
図４に示すように、記憶部４５は、測定用動作前一定時間を示す測定用動作前一定時間情報４５ｅと、測定用動作後一定時間を示す測定用動作後一定時間情報４５ｆとを記憶している。例えば、測定用動作前一定時間情報４５ｅ、測定用動作後一定時間情報４５ｆのデフォルトの値は、それぞれ１０秒、５秒である。
【００６４】
記憶部４５は、Ｗｅｂカメラ３１によって常時撮影されるとともにマイクロフォン３２によって取得された音が同期させられて含まれる動画（以下「常時撮影動画」と言う。）４５ｇを記憶可能である。常時撮影動画４５ｇの時間の上限は、測定関連動画４５ｃが採り得る最大時間以上の特定の時間（以下「常時撮影動画上限時間」と言う。）である。すなわち、常時撮影動画４５ｇは、最長でも、常時撮影動画上限時間前から現在までの動画である。
【００６５】
制御部４６は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部４５に記憶されているプログラムを実行する。
【００６６】
制御部４６は、記憶部４５に記憶されているアルコール測定動画保存プログラム４５ａを実行することによって、測定用動作前一定時間および測定用動作後一定時間を設定可能な時間設定手段４６ａ、Ｗｅｂカメラ３１によって撮影された測定関連動画４５ｃを測定用動作毎に保存する動画保存手段４６ｂ、および、動画保存手段４６ｂによって保存された測定関連動画４５ｃのリストを表示するリスト表示手段４６ｃとして機能する。
【００６７】
次に、測定用動作前一定時間および測定用動作後一定時間を設定する場合のコンピューター４０の動作について説明する。
【００６８】
被測定者９０の管理者などの者は、制御部４６がアルコール測定動画保存プログラム４５ａを実行している場合に、測定用動作前一定時間の設定を操作部４１から指示することができる。したがって、時間設定手段４６ａは、操作部４１からの指示に応じた測定用動作前一定時間を示す情報を測定用動作前一定時間情報４５ｅとして記憶させる。
【００６９】
同様に、管理者などの者は、制御部４６がアルコール測定動画保存プログラム４５ａを実行している場合に、測定用動作後一定時間の設定を操作部４１から指示することができる。したがって、時間設定手段４６ａは、操作部４１からの指示に応じた測定用動作後一定時間を示す情報を測定用動作後一定時間情報４５ｆとして記憶させる。
【００７０】
次に、アルコール測定を実行する場合のアルコール測定システム１０の動作について説明する。
【００７１】
図８は、アルコール測定を実行する場合のアルコール測定システム１０の動作のシーケンス図である。
【００７２】
図８に示すように、被測定者９０は、制御部４６がアルコール測定動画保存プログラム４５ａを実行している場合に、ＩＤの入力待ちであることが表示部２２に表示されているとき、被測定者９０自身のＩＤを操作部２１から入力する（Ｓ１０１）ことができる。
【００７３】
なお、制御部４６は、アルコール測定動画保存プログラム４５ａを実行している場合、Ｗｅｂカメラ３１によって撮影された映像と、マイクロフォン３２によって取得された音とに基づいて、記憶部４５上の常時撮影動画４５ｇを更新し続ける。ここで、制御部４６は、常時撮影動画４５ｇの時間が常時撮影動画上限時間を超えた場合、常時撮影動画４５ｇから常時撮影動画上限時間前の部分を削除することによって、常時撮影動画４５ｇの時間を常時撮影動画上限時間に抑える。
【００７４】
制御部２６は、Ｓ１０１において操作部２１からＩＤが入力されると、操作部２１から入力されたＩＤをコンピューター４０に送信する（Ｓ１０２）。
【００７５】
次いで、制御部４６は、Ｓ１０２において送信されてきたＩＤが利用者情報テーブル４５ｂに含まれているか否かを確認する（Ｓ１０３）。
【００７６】
制御部４６は、Ｓ１０２において送信されてきたＩＤが利用者情報テーブル４５ｂに含まれていることをＳ１０３において確認すると、登録されているＩＤであることをアルコール測定器２０に通知する（Ｓ１０４）。したがって、制御部２６は、呼気の吹き込みの指示を表示部２２に表示する（Ｓ１０５）。すなわち、アルコール測定器２０においてアルコール測定が実行可能になる。
【００７７】
なお、制御部４６は、Ｓ１０２において送信されてきたＩＤが利用者情報テーブル４５ｂに含まれていないことをＳ１０３において確認すると、登録されていないＩＤであることをアルコール測定器２０に通知する。したがって、制御部２６は、登録されていないＩＤであることを表示部２２に表示する。そして、制御部２６は、操作部２１に特定の操作が入力されることによって、ＩＤの入力待ちであることを再び表示部２２に表示する。
【００７８】
被測定者９０は、呼気の吹き込みの指示が表示部２２に表示されている場合、センサーユニット２４に装着されているマウスピース２４ａに呼気を吹き込む（Ｓ１０６）ことができる。なお、被測定者９０は、マウスピース２４ａに呼気を吹き込む前の何れかのタイミングで、被測定者９０自身のマウスピース２４ａをセンサーユニット２４に装着しておくことができる。
【００７９】
制御部２６は、Ｓ１０５の処理の後、例えば３０秒などの特定の時間以内にＳ１０６における吹き込みが開始されて、Ｓ１０６において吹き込まれた呼気が例えば５秒などの特定の時間以上継続されると、センサーユニット２４から入力されるアルコール濃度信号に基づいて呼気中のアルコール濃度を取得する（Ｓ１０７）。ここで、制御部２６は、マウスピース２４ａに呼気が吹き込まれているか否かを、センサーユニット２４から入力される呼気圧力信号に基づいて判断する。なお、呼気中のアルコール濃度が０．００ｍｇ／Ｌである場合、センサーユニット２４から制御部２６に入力されるアルコール濃度信号がゼロであるので、制御部２６は、センサーユニット２４から入力されるアルコール濃度信号に基づいてアルコール濃度を計算する必要がない。したがって、制御部２６は、呼気中のアルコール濃度が０．００ｍｇ／Ｌである場合、呼気中のアルコール濃度を一瞬で取得することが可能である。一方、呼気中のアルコール濃度が０．００ｍｇ／Ｌより大きい場合、制御部２６は、センサーユニット２４から入力されるアルコール濃度信号に基づいてアルコール濃度を計算する必要があるので、呼気中のアルコール濃度を取得するための計算時間として例えば１０秒などの特定の時間が必要である。
【００８０】
制御部２６は、Ｓ１０７の処理の後、Ｓ１０７において取得したアルコール濃度を、ディスプレイ２２ｂに表示する（Ｓ１０８）とともに、コンピューター４０に送信する（Ｓ１０９）。なお、制御部２６は、Ｓ１０９の処理の後、センサーユニット２４が再びアルコール濃度を検知することができるようにするためにセンサーユニット２４に対して特定の処理を実行してから、ＩＤの入力待ちであることを再び表示部２２に表示する。
【００８１】
動画保存手段４６ｂは、Ｓ１０９において送信されたアルコール濃度を受信すると、今回の測定用動作に関する測定関連動画４５ｃを記憶部４５に保存する（Ｓ１１０）。ここで、動画保存手段４６ｂは、常時撮影動画４５ｇの一部をコピーすることによって、今回の測定用動作に関する測定関連動画４５ｃを生成する。
【００８２】
動画保存手段４６ｂは、Ｓ１１０の処理の後、Ｓ１０３において確認したＩＤ、すなわち、被測定者のＩＤと、このＩＤに利用者情報テーブル４５ｂにおいて対応付けられている氏名、すなわち、被測定者の氏名と、Ｓ１０９において送信されてきたアルコール濃度の受信時刻、すなわち、アルコール測定の実行時刻と、Ｓ１０９において送信されてきたアルコール濃度、すなわち、アルコール測定の結果と、Ｓ１１０において保存された測定関連動画４５ｃへのリンクとを含む関連データを関連データ情報４５ｄに追加する（Ｓ１１１）。なお、動画保存手段４６ｂは、Ｓ１０９において送信されてきたアルコール濃度の受信時刻として、Ｓ１０９においてアルコール濃度が送信されてきた時点でコンピューター４０内の図示していない時計が示している時刻を使用する。
【００８３】
制御部２６は、Ｓ１０７において取得したアルコール濃度が特定の濃度以上である場合、Ｓ１０８においてアルコール濃度を表示するだけでなく、スピーカー２３で警告音を出力する。同様に、制御部４６は、Ｓ１０７において取得されたアルコール濃度が特定の濃度以上である場合、スピーカー４３で警告音を出力する。
【００８４】
なお、Ｓ１０５の処理の後、例えば３０秒などの特定の時間、呼気の吹き込みがなされない場合には、図８に示すＳ１０７以降の動作ではなく、図９に示すＳ１３１以降の動作が実行される。
【００８５】
図９に示すように、制御部２６は、Ｓ１０５の処理の後、例えば３０秒などの特定の時間、呼気の吹き込みがなされない場合、タイムアウトの旨を、表示部２２に表示する（Ｓ１３１）とともに、コンピューター４０に通知する（Ｓ１３２）。なお、制御部２６は、Ｓ１３２の処理の後、センサーユニット２４が再びアルコール濃度を検知することができるようにするためにセンサーユニット２４に対して特定の処理を実行してから、ＩＤの入力待ちであることを再び表示部２２に表示する。
【００８６】
動画保存手段４６ｂは、タイムアウトの旨がＳ１３２において通知されると、今回の測定用動作に関する測定関連動画４５ｃを記憶部４５に保存する（Ｓ１３３）。ここで、動画保存手段４６ｂは、常時撮影動画４５ｇの一部をコピーすることによって、今回の測定用動作に関する測定関連動画４５ｃを生成する。
【００８７】
動画保存手段４６ｂは、Ｓ１３３の処理の後、Ｓ１０３において確認したＩＤ、すなわち、被測定者のＩＤと、このＩＤに利用者情報テーブル４５ｂにおいて対応付けられている氏名、すなわち、被測定者の氏名と、Ｓ１３２においてタイムアウトの旨が通知されてきた時刻、すなわち、アルコール測定の実行時刻と、アルコール測定の結果、すなわち、測定用動作がタイムアウトによって終了したという結果と、Ｓ１３３において保存された測定関連動画４５ｃへのリンクとを含む関連データを関連データ情報４５ｄに追加する（Ｓ１３４）。なお、動画保存手段４６ｂは、Ｓ１３２においてタイムアウトの旨が通知されてきた時刻として、Ｓ１３２においてタイムアウトの旨が通知されてきた時点でコンピューター４０内の図示していない時計が示している時刻を使用する。
【００８８】
制御部２６は、測定用動作が途中で終了させられた場合、スピーカー２３で警告音を出力する。同様に、制御部４６は、測定用動作が途中で終了させられた場合、スピーカー４３で警告音を出力する。
【００８９】
以上においては、測定用動作がタイムアウトによって途中で終了させられた場合について説明した。しかしながら、アルコール測定システム１０は、操作部２１からの指示によって測定用動作が途中で終了させられた場合など、タイムアウト以外の原因によって測定用動作が途中で終了させられた場合にも、測定用動作がタイムアウトによって途中で終了させられた場合と同様に、今回の測定用動作に関する測定関連動画４５ｃを記憶部４５に保存するとともに、今回の測定用動作の終了の原因をアルコール測定の結果として含めた関連データを関連データ情報４５ｄに追加する。
【００９０】
次に、アルコール測定の結果を管理者が確認する場合のコンピューター４０の動作について説明する。
【００９１】
管理者は、アルコール測定の結果の閲覧を操作部４１を介してコンピューター４０に指示することができる。
【００９２】
リスト表示手段４６ｃは、アルコール測定の結果の閲覧が指示されると、関連データ情報４５ｄに基づいたリスト５０（図１０参照。）を表示部４２に表示する。
【００９３】
図１０は、表示部４２に表示されるリスト５０の一例を示す図である。
【００９４】
図１０に示すリスト５０は、図７に示す関連データ情報４５ｄとほぼ同様である。リスト５０は、測定関連動画４５ｃの長さから測定用動作前一定時間および測定用動作後一定時間を減じた「測定用動作の時間」を含んでいる。測定用動作の時間は、関連データ情報４５ｄにも含まれていても良い。リスト５０は、測定用動作の時間が特定の時間以上か否かを区別して表示している。図１０に示すリスト５０においては、測定用動作の時間が３０秒以上の測定用動作の情報を白黒反転して描いている。
【００９５】
管理者は、表示部４２に表示されたリスト５０に含まれる各種の情報を確認することができる。特に、管理者は、表示部４２に表示されたリスト５０において、測定関連動画４５ｃへのリンクを選択することによって、測定関連動画４５ｃの再生をコンピューター４０に指示することができる。
【００９６】
制御部４６は、測定関連動画４５ｃの再生が指示されると、指示された測定関連動画４５ｃを表示部４２およびスピーカー４３によって再生する。
【００９７】
したがって、管理者は、表示部４２およびスピーカー４３によって再生された測定関連動画４５ｃを確認することによって、測定関連動画４５ｃに映っている被測定者９０がリスト５０の「被測定者の氏名」欄に示されている者本人であることなど、不正行為が行われていないことを確認することができる。
【００９８】
以上に説明したように、アルコール測定システム１０は、測定用動作の時間と、測定用動作の開始時間より前の特定の時間、すなわち、測定用動作前一定時間と、測定用動作の終了時間より後の特定の時間、すなわち、測定用動作後一定時間とからなる一連の時間の測定関連動画４５ｃを保存する。そのため、アルコール測定システム１０は、「測定用動作に関連性が高い箇所が動画において特定されることが容易ではない」という従来の問題が生じない。したがって、アルコール測定システム１０は、アルコール測定に対する不正行為が被測定者９０の管理者によって動画から特定されることを従来より容易化することができる。
【００９９】
ここで、測定関連動画４５ｃから特定される不正行為としては、様々な不正行為がある。例えば、被測定者９０のためのアルコール測定を、単純に、被測定者９０の身代わりの者に実行させる不正行為がある。また、被測定者９０がマウスピース２４ａを咥えている状態であっても被測定者９０の身代わりの者から呼気が吹き込み可能なチューブがアルコール測定器２０に不正に取り付けられるなど、アルコール測定器２０に不正な改造が施されることによって、マウスピース２４ａを咥えている被測定者９０の動画を残しつつ、Ｗｅｂカメラ３１の撮影範囲外で被測定者９０の身代わりの者から呼気が吹き込まれる不正行為がある。また、ダミーのマウスピース２４ａを用意することによって、ダミーのマウスピース２４ａを咥えている被測定者９０の動画を残しつつ、Ｗｅｂカメラ３１の撮影範囲外で被測定者９０の身代わりの者から本物のマウスピース２４ａに呼気が吹き込まれる不正行為がある。なお、ダミーのマウスピース２４ａを用いた不正行為は、Ｗｅｂカメラ３１の撮影範囲にセンサーユニット２４が現れる場合には、ダミーのマウスピース２４ａだけでなく、ダミーのマウスピース２４ａが装着されるダミーのセンサーユニット２４が用意される。
【０１００】
アルコール測定システム１０は、測定関連動画４５ｃを保存するので、アルコール濃度が特定の濃度以上である場合に、ディスプレイ２２ｂに表示されているアルコール濃度を被測定者９０が確認したかなど、被測定者９０が適切に行動したかが測定関連動画４５ｃによって確認されることができる。
【０１０１】
アルコール測定システム１０は、測定関連動画４５ｃの開始時間から測定用動作の開始時間までの時間、すなわち、測定用動作前一定時間と、測定用動作の終了時間から測定関連動画４５ｃの終了時間までの時間、すなわち、測定用動作後一定時間とが一定時間である。この構成により、アルコール測定システム１０は、測定関連動画４５ｃの開始時間から測定用動作の開始時間までの時間と、測定用動作の終了時間から測定関連動画４５ｃの終了時間までの時間とが測定関連動画４５ｃ毎に変化する構成と比較して、測定関連動画４５ｃの時間の長さの均一性を向上することができるので、アルコール測定に対する不正行為を発見するために測定関連動画４５ｃを確認する作業の効率を向上することができる。
【０１０２】
アルコール測定システム１０は、現時点が測定関連動画４５ｃのための撮影時間中であることを通知しない。この構成により、アルコール測定システム１０は、アルコール測定に対する不正行為を実行したい者に対して、測定関連動画４５ｃのための撮影の実行中であるかもしれないという精神的圧力を与えることができるので、アルコール測定に対する不正行為が実行され難い。したがって、アルコール測定システム１０は、アルコール測定に対する不正行為の発生を抑えることができる。
【０１０３】
アルコール測定システム１０は、測定関連動画４５ｃのための撮影時間中であることを通知しないことに加えて、測定用動作の時間の前や後のどの程度の時間を測定関連動画４５ｃに保存するかを被測定者９０の管理者などの者に変更させることが可能であるので、アルコール測定に対する不正行為を実行したい者に対して、測定関連動画４５ｃのための撮影の実行中であるかもしれないという精神的圧力を効果的に与えることができる。したがって、アルコール測定システム１０は、アルコール測定に対する不正行為の発生を更に抑えることができる。
【０１０４】
アルコール測定システム１０は、アルコール測定の結果と関連付けて測定関連動画４５ｃを保存するので、アルコール測定の結果に応じて測定関連動画４５ｃが選出されることが可能である。したがって、アルコール測定システム１０は、多数の測定関連動画４５ｃの中から、アルコール測定の結果が特定のアルコール濃度以下、例えば、０．００ｍｇ／Ｌの測定関連動画４５ｃが選出されることによって、「アルコール測定に対する不正行為によって、被測定者９０の呼気中の実際のアルコール濃度より低いアルコール濃度が測定された事案」を測定関連動画４５ｃによって容易に発見させることができる。
【０１０５】
測定用動作が途中で終了した場合は、測定用動作が正常に終了した場合と比較して、アルコール測定に対する不正行為が実行された可能性が高い。アルコール測定システム１０は、測定用動作が途中で終了した場合の測定関連動画４５ｃを保存するので、アルコール測定に対する不正行為を測定関連動画４５ｃによって発見させる可能性を向上することができる。
【０１０６】
測定用動作の時間が長い場合は、測定用動作の時間が短い場合と比較して、アルコール測定に対する不正行為が実行されている可能性が高い。アルコール測定システム１０は、測定用動作の時間が特定の時間以上の測定関連動画４５ｃ、すなわち、測定用動作の時間が長い測定関連動画４５ｃを、測定用動作の時間が特定の時間未満の測定関連動画４５ｃ、すなわち、測定用動作の時間が短い測定関連動画４５ｃと区別してリスト５０において表示するので、多数の測定関連動画４５ｃの中から、測定用動作の時間が長い測定関連動画４５ｃが容易に選出されることができる。また、アルコール測定システム１０は、測定用動作の時間をリスト５０において表示するので、多数の測定関連動画４５ｃの中から、測定用動作の時間が長い測定関連動画４５ｃが容易に選出されることができる。したがって、アルコール測定システム１０は、アルコール測定に対する不正行為を測定関連動画４５ｃによって容易に発見させることができる。なお、リスト表示手段４６ｃは、測定用動作の時間が特定の時間以上の測定関連動画４５ｃか否かを区別せずにリスト５０を表示しても良いし、測定用動作の時間の長さをリスト５０に表示しなくても良い。
【０１０７】
アルコール測定システム１０は、アルコール測定に対する不正行為が実行されたか否かを測定関連動画４５ｃに含まれる音によっても確認可能であるので、アルコール測定に対する不正行為が測定関連動画４５ｃから特定されることを容易化することができる。
【０１０８】
アルコール測定システム１０は、測定関連動画４５ｃに音を含めることができるので、アルコール濃度が特定の濃度以上である場合の警告音や、測定用動作が途中で終了させられた場合の警告音を測定関連動画４５ｃに含めることができる。したがって、アルコール測定システム１０は、アルコール濃度が特定の濃度以上である場合に、ディスプレイ２２ｂに表示されているアルコール濃度を被測定者９０が確認したかなど、被測定者９０が適切に行動したかが測定関連動画４５ｃによって確認されることができる。例えば、アルコール測定システム１０は、アルコール濃度が特定の濃度以上である場合に、アルコール濃度が特定の濃度以上である場合の警告音を測定関連動画４５ｃに含めることができるので、「警告音が鳴らなかったためにアルコール濃度の確認をしなかった」という被測定者９０の虚偽の主張に対抗することができる。
【０１０９】
アルコール測定システム１０は、本実施の形態において測定用動作前一定時間および測定用動作後一定時間の両方を含む測定関連動画４５ｃを生成する。しかしながら、アルコール測定システム１０は、測定用動作の時間と、測定用動作前一定時間および測定用動作後一定時間の何れか一方のみとを含む測定関連動画４５ｃを生成しても良い。
【０１１０】
コンピューター４０は、本実施の形態において測定関連動画４５ｃや関連データ情報４５ｄなどの各種のデータを記憶部４５に記憶している。しかしながら、コンピューター４０は、測定関連動画４５ｃや関連データ情報４５ｄなどの各種のデータの少なくとも一部を、コンピューター４０が参加しているネットワーク内の他のコンピューターなど、コンピューター４０以外の装置に記憶させても良い。
【０１１１】
アルコール測定システム１０は、測定用動作毎に測定関連動画４５ｃを保存するようになっている。しかしながら、アルコール測定システム１０は、測定用動作毎に測定関連動画４５ｃを保存するか否かを操作部４１からの指示に応じて設定可能であっても良い。
【０１１２】
アルコール測定システム１０は、被測定者９０によって呼気が吹き込まれる呼気吹き込み部としてマウスピース２４ａを備えている。しかしながら、アルコール測定システム１０は、マウスピースではない呼気吹き込み部を備えていても良い。例えば、アルコール測定システム１０は、被測定者９０によって咥えられる呼気吹き込み部ではなく、被測定者９０によって呼気が吹き掛けられることによって呼気が吹き込まれる呼気吹き込み部を備えていても良い。
【０１１３】
Ｗｅｂカメラ３１は、マウスピース２４ａに呼気を吹き込んでいる状態の被測定者９０を撮影可能な位置に配置されていれば、図１に示す場所以外の場所に配置されていても良い。例えば、Ｗｅｂカメラ３１は、アルコール測定器２０およびコンピューター４０の何れかと一体化されていても良い。
【０１１４】
アルコール測定システム１０は、スピーカー２３およびスピーカー４３で警告音を出力するが、アルコール濃度が特定の濃度以上である場合や、測定用動作が途中で終了させられた場合に、警告音を出力する警報機を、スピーカー２３およびスピーカー４３に加えて、または、スピーカー２３およびスピーカー４３の少なくとも一方に代えて備えていても良い。
【０１１５】
マイクロフォン３２は、マウスピース２４ａに呼気を吹き込んでいる状態の被測定者９０の近傍の音を取得可能な位置に配置されていれば、図１に示す場所以外の場所に配置されていても良い。例えば、マイクロフォン３２は、アルコール測定器２０、Ｗｅｂカメラ３１およびコンピューター４０の何れかと一体化されていても良い。なお、アルコール測定システム１０は、マイクロフォン３２を備えていなくても良い。
【０１１６】
アルコール測定システム１０は、利用者のＩＤを操作部２１から手動で入力することによって、被測定者９０を特定するようになっている。しかしながら、アルコール測定システム１０は、他の方法によって被測定者９０を特定するようになっていても良い。例えば、アルコール測定システム１０は、運転免許証などのカードの表面に描かれている画像を読み取るイメージスキャナーを備えていて、イメージスキャナーによって読み取られた画像からＯＣＲ（Ｏｐｔｉｃａｌ  Ｃｈａｒａｃｔｅｒ  Ｒｅｃｏｇｎｉｔｉｏｎ）によって文字情報を抽出し、抽出した文字情報に事前に対応付けられている被測定者９０を特定しても良い。また、アルコール測定システム１０は、ＩＣ（Ｉｎｔｅｇｒａｔｅｄ  Ｃｉｒｃｕｉｔ）カード化された運転免許証などのＩＣカードから情報を読み出すＩＣカードリーダーを備えていて、ＩＣカードリーダーによって読み出された情報に事前に対応付けられている被測定者９０を特定しても良い。また、アルコール測定システム１０は、指静脈などの生体情報を取得する生体情報取得装置を備えていて、生体情報取得装置によって取得された生体情報に事前に対応付けられている被測定者９０を特定しても良い。
【０１１７】
アルコール測定システム１０は、コンピューター４０の機能の少なくとも一部をアルコール測定器２０が実行しても良い。アルコール測定システム１０は、コンピューター４０の機能の全部をアルコール測定器２０が実行する場合、コンピューター４０を備えていなくても良い。
【０１１８】
（第２の実施の形態）
まず、本発明の第２の実施の形態に係るアルコール測定システムの構成について説明する。
【０１１９】
本実施の形態に係るアルコール測定システムの構成は、第１の実施の形態に係るアルコール測定システム１０（図１参照。）がコンピューター４０（図４参照。）に代えてコンピューター２４０（図１１参照。）を備えた構成と同様である。
【０１２０】
図１１は、本実施の形態に係るアルコール測定システムのコンピューター２４０のブロック図である。
【０１２１】
図１１に示すように、コンピューター２４０は、コンピューター４０（図４参照。）がアルコール測定動画保存プログラム４５ａ（図４参照。）に代えてアルコール測定動画保存プログラム２４５ａを記憶部４５に記憶した構成と同様である。
【０１２２】
制御部４６は、記憶部４５に記憶されているアルコール測定動画保存プログラム２４５ａを実行することによって、時間設定手段４６ａ、動画保存手段４６ｂおよびリスト表示手段４６ｃに加えて、測定関連動画２４５ｃの開始時間から測定用動作の開始時間までの時間（以下「測定用動作前特定時間」と言う。）と、測定用動作の終了時間から測定関連動画２４５ｃの終了時間までの時間（以下「測定用動作後特定時間」と言う。）とを測定関連動画２４５ｃ毎に決定する時間決定手段２４６ａとして機能する。
【０１２３】
図１２は、測定関連動画２４５ｃの構成を示す図である。
【０１２４】
図１２に示すように、測定関連動画２４５ｃは、測定用動作前一定時間の動画に代えて測定用動作前特定時間の動画を含んでいることと、測定用動作後一定時間の動画に代えて測定用動作後特定時間の動画を含んでいることとを除き、測定関連動画４５ｃ（図６参照。）と同様である。
【０１２５】
次に、本実施の形態に係るアルコール測定システムの動作について説明する。
【０１２６】
本実施の形態に係るアルコール測定システムの動作は、以下に説明する動作を除いて、第１の実施の形態に係るアルコール測定システム１０の動作と同様である。
【０１２７】
アルコール測定システム１０においては、測定用動作前特定時間が測定用動作前一定時間という一定時間である。しかしながら、本実施の形態に係るアルコール測定システムにおいては、測定用動作前特定時間を測定関連動画２４５ｃ毎に決定する。
【０１２８】
測定用動作前特定時間の決定のパターンとしては、例えば、第１の実施の形態と同様に測定用動作前一定時間を測定用動作前特定時間とするパターン（以下「パターンＡ」と言う。）と、前回の測定用動作前特定時間に対して一定時間だけ測定関連動画２４５ｃ毎に加算または減算するパターン（以下「パターンＢ」と言う。）と、前回の測定用動作前特定時間に対して測定用動作前一定時間の一定比率分の時間だけ測定関連動画２４５ｃ毎に加算または減算するパターン（以下「パターンＣ」と言う。）と、一定範囲内のランダムな時間だけ測定用動作前一定時間に加算または減算した時間を測定用動作前特定時間とするパターン（以下「パターンＤ」と言う。）と、測定用動作前一定時間の一定比率範囲内のランダムな時間だけ測定用動作前一定時間に加算または減算した時間を測定用動作前特定時間とするパターン（以下「パターンＥ」と言う。）と、前回の測定用動作前特定時間に対して一定の係数を測定関連動画２４５ｃ毎に乗算または除算するパターン（以下「パターンＦ」と言う。）と、管理者などの者によって設定された複数種類の時間からランダムに選択した時間を測定用動作前特定時間とするパターン（以下「パターンＧ」と言う。）と、管理者などの者によって設定された特定の時間範囲内からランダムに選択した時間を測定用動作前特定時間とするパターン（以下「パターンＨ」と言う。）と、管理者などの者によっても参照されることができない固定の複数種類の時間からランダムに選択した時間を測定用動作前特定時間とするパターン（以下「パターンＩ」と言う。）と、管理者などの者によっても参照されることができない固定の特定の時間範囲内からランダムに選択した時間を測定用動作前特定時間とするパターン（以下「パターンＪ」と言う。）とが考えられる。
【０１２９】
以上においては、測定用動作前特定時間について説明している。しかしながら、本実施の形態に係るアルコール測定システムにおいては、測定用動作前特定時間と同様に、測定用動作後特定時間についても測定関連動画２４５ｃ毎に決定することができる。
【０１３０】
時間決定手段２４６ａは、操作部４１や通信部４４を介した指示に応じて測定用動作前特定時間や測定用動作後特定時間の決定のパターンを設定する。時間決定手段２４６ａは、動画保存手段４６ｂがＳ１１０またはＳ１３３において測定関連動画２４５ｃを記憶部４５に保存する場合に、事前に設定している測定用動作前特定時間の決定のパターンで測定用動作前特定時間を決定するとともに、事前に設定している測定用動作後特定時間の決定のパターンで測定用動作後特定時間を決定する。動画保存手段４６ｂは、Ｓ１１０またはＳ１３３において、時間決定手段２４６ａによって決定された測定用動作前特定時間および測定用動作後特定時間に応じて測定関連動画２４５ｃを記憶部４５に保存する。
【０１３１】
以下、測定用動作前特定時間の決定のパターンＡ〜Ｊについて詳細に説明する。
【０１３２】
・パターンＡについて
パターンＡは、第１の実施の形態と同様に測定用動作前一定時間を測定用動作前特定時間とするパターンである。本実施の形態に係るアルコール測定システムは、測定用動作前特定時間の決定のパターンとしてパターンＡが設定されている場合、測定関連動画２４５ｃの開始時間から測定用動作の開始時間までの時間が測定関連動画２４５ｃ毎に変化する構成と比較して、測定関連動画２４５ｃの時間の長さの均一性を向上することができるので、アルコール測定に対する不正行為を発見するために測定関連動画２４５ｃを確認する作業の効率を向上することができる。
【０１３３】
・パターンＢについて
パターンＢは、前回の測定用動作前特定時間に対して一定時間だけ測定関連動画２４５ｃ毎に加算または減算するパターンである。
【０１３４】
例えば、測定用動作前一定時間が１０秒、測定関連動画２４５ｃ毎に加算する一定時間が１秒である場合、時間決定手段２４６ａは、測定用動作前特定時間を測定用動作前一定時間から開始し、動画保存手段４６ｂによる測定関連動画２４５ｃの保存の処理が実行される度に前回の測定用動作前特定時間に対して１秒ずつ加算し、特定の値、例えば１５秒を超えると測定用動作前特定時間を測定用動作前一定時間に戻す、という処理を繰り返す。すなわち、時間決定手段２４６ａは、測定関連動画２４５ｃ毎に測定用動作前特定時間を次のように変更する。
１０秒→１１秒→１２秒→１３秒→１４秒→１５秒  以降、１０秒から繰り返す。
【０１３５】
以上は加算の例である。しかしながら、時間決定手段２４６ａは、測定用動作前特定時間を測定用動作前一定時間から開始し、動画保存手段４６ｂによる測定関連動画２４５ｃの保存の処理が実行される度に前回の測定用動作前特定時間に対して１秒ずつ減算し、特定の値、例えば５秒を下回ると測定用動作前特定時間を測定用動作前一定時間に戻す、という処理を繰り返しても良い。
【０１３６】
本実施の形態に係るアルコール測定システムは、測定用動作前特定時間の決定のパターンとしてパターンＢが設定されている場合、測定用動作前特定時間を測定関連動画２４５ｃ毎に変化させるので、測定用動作前特定時間の決定のパターンとしてパターンＡが設定されている場合と比較して、アルコール測定に対する不正行為を実行したい者に対して、測定関連動画２４５ｃの開始時間の把握を困難にすることができる。
【０１３７】
・パターンＣについて
パターンＣは、前回の測定用動作前特定時間に対して測定用動作前一定時間の一定比率分の時間だけ測定関連動画２４５ｃ毎に加算または減算するパターンである。パターンＣは、測定関連動画２４５ｃ毎に加算または減算する時間が測定用動作前一定時間の一定比率分の時間であることを除いて、パターンＢと同様である。
【０１３８】
例えば、測定用動作前一定時間が２０秒、一定比率が１０％である場合、測定用動作前一定時間の一定比率分の時間が２秒（＝２０秒×１０％）であるので、時間決定手段２４６ａは、測定用動作前特定時間を測定用動作前一定時間から開始し、動画保存手段４６ｂによる測定関連動画２４５ｃの保存の処理が実行される度に前回の測定用動作前特定時間に対して２秒ずつ加算し、特定の値、例えば３０秒を超えると測定用動作前特定時間を測定用動作前一定時間に戻す、という処理を繰り返す。すなわち、時間決定手段２４６ａは、測定関連動画２４５ｃ毎に測定用動作前特定時間を次のように変更する。
２０秒→２２秒→２４秒→２６秒→２８秒→３０秒  以降、２０秒から繰り返す。
【０１３９】
以上は加算の場合である。しかしながら、時間決定手段２４６ａは、測定用動作前特定時間を測定用動作前一定時間から開始し、動画保存手段４６ｂによる測定関連動画２４５ｃの保存の処理が実行される度に前回の測定用動作前特定時間に対して２秒ずつ減算し、特定の値、例えば１０秒を下回ると測定用動作前特定時間を測定用動作前一定時間に戻す、という処理を繰り返しても良い。
【０１４０】
本実施の形態に係るアルコール測定システムは、測定用動作前特定時間の決定のパターンとしてパターンＣが設定されている場合、測定関連動画２４５ｃ毎に加算または減算する時間が測定用動作前一定時間の一定比率分の時間であるので、測定用動作前特定時間の決定のパターンとしてパターンＢが設定されている場合と比較して、測定用動作前一定時間に対して適度な測定用動作前特定時間を決定することができる。
【０１４１】
・パターンＤについて
パターンＤは、一定範囲内のランダムな時間だけ測定用動作前一定時間に加算または減算した時間を測定用動作前特定時間とするパターンである。
【０１４２】
例えば、測定用動作前一定時間が２０秒、一定範囲が０〜５秒である場合、時間決定手段２４６ａは、動画保存手段４６ｂによる測定関連動画２４５ｃの保存の処理が実行される度に、測定用動作前特定時間を２０〜２５秒（＝２０秒＋（０〜５秒））の間で不規則に変更する。すなわち、時間決定手段２４６ａは、測定関連動画２４５ｃ毎に測定用動作前特定時間を例えば次のように変更する。
２１秒→２５秒→２０秒→２２秒・・・
【０１４３】
以上は加算の場合である。しかしながら、時間決定手段２４６ａは、減算しても良いし、加算および減算をランダムに切り替えても良い。例えば、測定用動作前一定時間が２０秒、一定範囲が０〜５秒である場合、時間決定手段２４６ａは、減算するとき、動画保存手段４６ｂによる測定関連動画２４５ｃの保存の処理が実行される度に、測定用動作前特定時間を１５〜２０秒（＝２０秒−（０〜５秒））の間で不規則に変更し、加算および減算をランダムに切り替えるとき、動画保存手段４６ｂによる測定関連動画２４５ｃの保存の処理が実行される度に、測定用動作前特定時間を１５〜２５秒（＝２０秒±（０〜５秒））の間で不規則に変更する。
【０１４４】
本実施の形態に係るアルコール測定システムは、測定用動作前特定時間の決定のパターンとしてパターンＤが設定されている場合、測定用動作前特定時間を測定関連動画２４５ｃ毎にランダムに変化させるので、測定用動作前特定時間の決定のパターンとしてパターンＢやパターンＣが設定されている場合と比較して、アルコール測定に対する不正行為を実行したい者に対して、測定関連動画２４５ｃの開始時間の把握を困難にすることができる。
【０１４５】
・パターンＥについて
パターンＥは、測定用動作前一定時間の一定比率範囲内のランダムな時間だけ測定用動作前一定時間に加算または減算した時間を測定用動作前特定時間とするパターンである。パターンＥは、測定用動作前一定時間に加算または減算する時間が測定用動作前一定時間の一定比率範囲内のランダムな時間であることを除いて、パターンＤと同様である。
【０１４６】
例えば、測定用動作前一定時間が２０秒、一定比率範囲が３０％である場合、一定比率範囲の時間が０〜６秒（＝２０秒×３０％）であるので、時間決定手段２４６ａは、動画保存手段４６ｂによる測定関連動画２４５ｃの保存の処理が実行される度に、測定用動作前特定時間を２０〜２６秒（＝２０秒＋（０〜６秒））の間で不規則に変更する。すなわち、時間決定手段２４６ａは、測定関連動画２４５ｃ毎に測定用動作前特定時間を例えば次のように変更する。
２２秒→２６秒→２０秒→２３秒・・・
【０１４７】
以上は加算の場合である。しかしながら、時間決定手段２４６ａは、減算しても良いし、加算および減算をランダムに切り替えても良い。例えば、測定用動作前一定時間が２０秒、一定比率範囲が３０％である場合、時間決定手段２４６ａは、減算するとき、動画保存手段４６ｂによる測定関連動画２４５ｃの保存の処理が実行される度に、測定用動作前特定時間を１４〜２０秒（＝２０秒−（０〜６秒））の間で不規則に変更し、加算および減算をランダムに切り替えるとき、動画保存手段４６ｂによる測定関連動画２４５ｃの保存の処理が実行される度に、測定用動作前特定時間を１４〜２６秒（＝２０秒±（０〜６秒））の間で不規則に変更する。
【０１４８】
本実施の形態に係るアルコール測定システムは、測定用動作前特定時間の決定のパターンとしてパターンＥが設定されている場合、測定用動作前一定時間に加算または減算する時間が測定用動作前一定時間の一定比率範囲内の時間であるので、測定用動作前特定時間の決定のパターンとしてパターンＤが設定されている場合と比較して、測定用動作前一定時間に対して適度な測定用動作前特定時間を決定することができる。
【０１４９】
・パターンＦについて
パターンＦは、前回の測定用動作前特定時間に対して一定の係数を測定関連動画２４５ｃ毎に乗算または除算するパターンである。
【０１５０】
例えば、測定用動作前一定時間が２０秒、測定関連動画２４５ｃ毎に乗算する一定の係数が０．９である場合、時間決定手段２４６ａは、測定用動作前特定時間を測定用動作前一定時間から開始し、動画保存手段４６ｂによる測定関連動画２４５ｃの保存の処理が実行される度に前回の測定用動作前特定時間に対して０．９を乗算し、特定の値、例えば１０秒を下回ると測定用動作前特定時間を測定用動作前一定時間に戻す、という処理を繰り返す。すなわち、時間決定手段２４６ａは、測定関連動画２４５ｃ毎に測定用動作前特定時間を次のように変更する。
２０秒→１８秒→１６．２秒→１４．６秒→１３．１秒→１１．８秒→１０．６秒  以降、２０秒から繰り返す。
【０１５１】
以上は乗算の例である。しかしながら、時間決定手段２４６ａは、測定用動作前特定時間を測定用動作前一定時間から開始し、動画保存手段４６ｂによる測定関連動画２４５ｃの保存の処理が実行される度に前回の測定用動作前特定時間に対して０．９を除算し、特定の値、例えば３０秒を超えると測定用動作前特定時間を測定用動作前一定時間に戻す、という処理を繰り返しても良い。
【０１５２】
また、以上においては、係数として１より小さい数を例に説明している。しかしながら、係数は、１以上の数であっても良い。
【０１５３】
本実施の形態に係るアルコール測定システムは、測定用動作前特定時間の決定のパターンとしてパターンＦが設定されている場合、測定用動作前特定時間を測定関連動画２４５ｃ毎に変化させるので、測定用動作前特定時間の決定のパターンとしてパターンＡが設定されている場合と比較して、アルコール測定に対する不正行為を実行したい者に対して、測定関連動画２４５ｃの開始時間の把握を困難にすることができる。また、本実施の形態に係るアルコール測定システムは、測定用動作前特定時間の決定のパターンとしてパターンＦが設定されている場合、測定関連動画２４５ｃ毎に増減する時間が測定用動作前一定時間を基準として計算された時間であるので、測定用動作前特定時間の決定のパターンとしてパターンＢが設定されている場合と比較して、測定用動作前一定時間に対して適度な測定用動作前特定時間を決定することができる。
【０１５４】
・パターンＧについて
パターンＧは、管理者などの者によって設定された複数種類の時間からランダムに選択した時間を測定用動作前特定時間とするパターンである。
【０１５５】
例えば、管理者などの者によって設定された複数種類の時間が１０秒、１５秒および２０秒である場合、時間決定手段２４６ａは、動画保存手段４６ｂによる測定関連動画２４５ｃの保存の処理が実行される度に、測定用動作前特定時間を１０秒、１５秒および２０秒の何れかにランダムに変更する。すなわち、時間決定手段２４６ａは、測定関連動画２４５ｃ毎に測定用動作前特定時間を例えば次のように変更する。
１０秒→２０秒→１５秒→２０秒・・・
【０１５６】
以上は、管理者などの者によって設定された時間の種類が３つの場合である。しかしながら、管理者などの者によって設定された時間の種類は、３つ以外の複数でも良い。
【０１５７】
本実施の形態に係るアルコール測定システムは、測定用動作前特定時間の決定のパターンとしてパターンＧが設定されている場合、測定用動作前特定時間を測定関連動画２４５ｃ毎にランダムに変化させるので、測定用動作前特定時間の決定のパターンとしてパターンＢやパターンＣが設定されている場合と比較して、アルコール測定に対する不正行為を実行したい者に対して、測定関連動画２４５ｃの開始時間の把握を更に困難にすることができる。
【０１５８】
・パターンＨについて
パターンＨは、管理者などの者によって設定された特定の時間範囲内からランダムに選択した時間を測定用動作前特定時間とするパターンである。パターンＨは、ランダムに選択する対象が時間範囲内の時間であることを除いて、パターンＧと同様である。
【０１５９】
例えば、管理者などの者によって設定された時間範囲が１０〜２０秒である場合、時間決定手段２４６ａは、動画保存手段４６ｂによる測定関連動画２４５ｃの保存の処理が実行される度に、測定用動作前特定時間を１０〜２０秒の間でランダムに変更する。すなわち、時間決定手段２４６ａは、測定関連動画２４５ｃ毎に測定用動作前特定時間を例えば次のように変更する。
１０秒→１９秒→２０秒→１３秒→１５秒→１１秒→１８秒・・・
【０１６０】
本実施の形態に係るアルコール測定システムは、測定用動作前特定時間の決定のパターンとしてパターンＨが設定されている場合、管理者などの者によって設定された複数種類の時間からランダムに選択した時間ではなく、管理者などの者によって設定された特定の時間範囲内からランダムに選択した時間を測定用動作前特定時間とするので、測定用動作前特定時間の決定のパターンとしてパターンＧが設定されている場合と比較して、測定用動作前特定時間のランダム性を向上することができ、その結果、アルコール測定に対する不正行為を実行したい者に対して、測定関連動画２４５ｃの開始時間の把握を更に困難にすることができる。
【０１６１】
・パターンＩについて
パターンＩは、管理者などの者によっても参照されることができない固定の複数種類の時間からランダムに選択した時間を測定用動作前特定時間とするパターンである。例えば、ランダムに選択する対象の複数種類の時間は、本実施の形態に係るアルコール測定システムのメーカーによって実用的な時間が設定されている。パターンＩは、ランダムに選択する対象の複数種類の時間が管理者などの者によっても参照されることができない固定の時間であることを除いて、パターンＧと同様である。
【０１６２】
本実施の形態に係るアルコール測定システムは、測定用動作前特定時間の決定のパターンとしてパターンＩが設定されている場合、ランダムに選択する対象の複数種類の時間が管理者などの者によっても参照されることができないので、ランダムに選択する対象の複数種類の時間がアルコール測定に対する不正行為を実行したい者に知られる可能性がなく、測定用動作前特定時間の決定のパターンとしてパターンＧが設定されている場合と比較して、アルコール測定に対する不正行為を実行したい者に対して、測定関連動画２４５ｃの開始時間の把握を困難にすることができる。
【０１６３】
・パターンＪについて
パターンＪは、管理者などの者によっても参照されることができない固定の特定の時間範囲内からランダムに選択した時間を測定用動作前特定時間とするパターンである。例えば、ランダムに選択する対象の時間範囲は、本実施の形態に係るアルコール測定システムのメーカーによって実用的な時間が設定されている。パターンＪは、ランダムに選択する対象の時間範囲が管理者などの者によっても参照されることができない固定の時間範囲であることを除いて、パターンＨと同様である。
【０１６４】
本実施の形態に係るアルコール測定システムは、測定用動作前特定時間の決定のパターンとしてパターンＪが設定されている場合、ランダムに選択する対象の時間範囲が管理者などの者によっても参照されることができないので、ランダムに選択する対象の時間範囲がアルコール測定に対する不正行為を実行したい者に知られる可能性がなく、測定用動作前特定時間の決定のパターンとしてパターンＨが設定されている場合と比較して、アルコール測定に対する不正行為を実行したい者に対して、測定関連動画２４５ｃの開始時間の把握を困難にすることができる。
【０１６５】
以上に説明したように、本実施の形態に係るアルコール測定システムは、測定用動作前特定時間の決定のパターンとしてパターンＢ〜Ｊが設定されている場合、アルコール測定に対する不正行為を実行したい者に対して、測定関連動画２４５ｃの開始時間の把握を困難にすることで、測定関連動画２４５ｃのための撮影の実行中であるかもしれないという精神的圧力を与えることができるので、アルコール測定に対する不正行為が実行され難い。したがって、本実施の形態に係るアルコール測定システムは、アルコール測定に対する不正行為の発生を抑えることができる。
【０１６６】
以上においては、測定用動作前特定時間について説明しているが、測定用動作後特定時間についても同様である。
【０１６７】
なお、本実施の形態に係るアルコール測定システムは、測定用動作前特定時間の決定のパターンと、測定用動作後特定時間の決定のパターンとを互いに同様なパターンとしても良いし、全く異なるパターンとしても良い。
【０１６８】
本実施の形態に係るアルコール測定システムは、測定用動作前特定時間および測定用動作後特定時間に関して、決定のパターンや時間の長さが別々に設定されることが可能であるので、測定関連動画２４５ｃのファイルサイズを抑えながら効率良く不正を記録することができる。
【符号の説明】
【０１６９】
１０  アルコール測定システム
２０  アルコール測定器
３１  Ｗｅｂカメラ（カメラ）
３２  マイクロフォン
４０  コンピューター
４５ａ  アルコール測定動画保存プログラム
４５ｃ  測定関連動画
４６ａ  時間設定手段
４６ｂ  動画保存手段
４６ｃ  リスト表示手段
５０  リスト
９０  被測定者
２４０  コンピューター
２４５ａ  アルコール測定動画保存プログラム
２４５ｃ  測定関連動画
２４６ａ  時間決定手段
【図１】
2018022465.tif 000003
【図２】
2018022465.tif 000004
【図３】
2018022465.tif 000005
【図４】
2018022465.tif 000006
【図５】
2018022465.tif 000007
【図６】
2018022465.tif 000008
【図７】
2018022465.tif 000009
【図８】
2018022465.tif 000010
【図９】
2018022465.tif 000011
【図１０】
2018022465.tif 000012
【図１１】
2018022465.tif 000013
【図１２】
2018022465.tif 000014